(57)【要約】      （修正有）【課題】視聴中のコンテンツを一目で認識することができる技術を提供する。【解決手段】全画面表示モードから、リモコン操作により同時メニュー表示モードにおいて、コンテンツリスト（一覧）を表示する際には、現在映像が表示しているコンテンツ（チャンネル）を含む他チャンネルの番組情報を表示する。具体的には、スケーリングされた映像領域２２ａに、現在視聴中の映像が表示されるとともに、ソースカテゴリ表示領域においては、視聴中のＢＳボタン７１ｄが強調表示等視覚的に認識可能な状態で表示され（マーク、フォーカスなど周知の手段で良い）、さらに、コンテンツリスト一覧表示領域７３において、現在視聴中のコンテンツを含む他チャンネルの番組情報が表示される。この際、現在視聴中のコンテンツに、現在視聴中マーク７３−８ａが表示される。【選択図】図１９
2011035862.tif 000002
【特許請求の範囲】
【請求項１】
コンテンツを視聴するコンテンツ視聴装置においてコンテンツ情報を取得するコンテンツ情報取得部と、前記コンテンツ情報取得部において取得した前記コンテンツ情報に基づいて、コンテンツ表示部にコンテンツリストを表示する制御を行うコンテンツ情報表示制御部と、を有するコンテンツ視聴装置において、
前記コンテンツ情報表示制御部は、前記コンテンツリストの表示の指示を受けると、現在視聴中のコンテンツを含むコンテンツリストを表示させることを特徴とするコンテンツ視聴装置。
【請求項２】
コンテンツを視聴するコンテンツ視聴装置において視聴可能なコンテンツの種別であるコンテンツカテゴリ毎にコンテンツ情報を取得するカテゴリ別のコンテンツ情報取得部と、前記カテゴリ別のコンテンツ情報取得部において取得した前記コンテンツカテゴリ毎のコンテンツ情報に基づいて、前記コンテンツカテゴリ毎にコンテンツ表示部にコンテンツリストを表示する制御を行うコンテンツ情報表示制御部と、を有するコンテンツ視聴装置において、
前記コンテンツ情報表示制御部は、前記コンテンツリストの表示の指示を受けると、現在視聴中のコンテンツのコンテンツカテゴリに属するコンテンツリストのうち現在視聴中のコンテンツを含むコンテンツリストを表示させることを特徴とするコンテンツ視聴装置。
【請求項３】
前記コンテンツ情報表示制御部は、前記コンテンツリストにおいて、現在視聴中のコンテンツに視覚的に認識可能な形態で現在視聴中コンテンツである旨の現在視聴中コンテンツ表示をすることを特徴とする請求項１に記載のコンテンツ視聴装置。
【請求項４】
前記コンテンツ情報表示制御部は、前記コンテンツリストが複数のページにわたる場合において、前記現在視聴中のコンテンツの位置に依存しないデフォルトのページ構成を維持して前記コンテンツリストを表示させることを特徴とする請求項１から３までのいずれか１項に記載のコンテンツ視聴装置。
【請求項５】
前記コンテンツ情報表示制御部は、前記表示部の視聴領域をスケーリングすることで形成された空き領域に前記コンテンツリストを表示させ、全画面表示との間で切り替え可能であり、前記現在視聴中コンテンツ表示を前記全画面表示への切り替え時にカーソル位置にあるコンテンツに更新することを特徴とする請求項１から４までのいずれか１項に記載のコンテンツ視聴装置。
【請求項６】
前記コンテンツカテゴリは、コンテンツを取得するソースであるコンテンツソースにより区別されていることを特徴とする請求項２から５までのいずれか１項に記載のコンテンツ視聴装置。
【請求項７】
前記コンテンツカテゴリには、光ディスク媒体、放送、外部機器の入力切り替えが含まれることを特徴とする請求項６に記載のコンテンツ視聴装置。
【請求項８】
前記コンテンツ情報取得部は、前記コンテンツ視聴装置から取得したコンテンツ群のそれぞれのコンテンツの取得元の情報を含むコンテンツ情報を取得するコンテンツ情報取得部と、インターネット経由で取得したネットコンテンツのネットコンテンツサーバのＵＲＬを含むネットコンテンツ情報を取得するネットコンテンツ情報取得部と、を備え、
前記コンテンツ情報表示制御部は、前記コンテンツ情報取得部が取得した前記それぞれのコンテンツ情報に基づくそれぞれのコンテンツリストと前記ネットコンテンツ情報取得部が取得した前記ネットコンテンツ情報に基づくネットコンテンツリストとを、統合して１つのメニューに表示させる制御を行うことを特徴とする請求項２から７までのいずれか１項に記載のコンテンツ視聴装置。
【請求項９】
コンテンツを視聴するコンテンツ視聴装置においてコンテンツ情報を取得するコンテンツ情報取得ステップと、前記コンテンツ情報取得ステップにおいて取得した前記コンテンツ情報に基づいて、コンテンツ表示部にコンテンツリストを表示する制御を行うコンテンツ情報表示制御ステップと、を有するコンテンツリスト表示方法において、
前記コンテンツ情報表示制御ステップは、前記コンテンツリストの表示の指示を受けると、現在視聴中のコンテンツを含むコンテンツリストを表示させるステップを有することを特徴とするコンテンツリスト表示方法。
【請求項１０】
コンテンツを視聴するコンテンツ視聴装置において視聴可能なコンテンツの種別であるコンテンツカテゴリ毎にコンテンツ情報を取得するコンテンツ情報取得ステップと、前記コンテンツ情報取得ステップにおいて取得した前記コンテンツカテゴリ毎のコンテンツ情報に基づいて、前記コンテンツカテゴリ毎にコンテンツ表示部にコンテンツリストを表示する制御を行うコンテンツ情報表示制御ステップと、を有するコンテンツリスト表示方法において、
前記コンテンツ情報表示制御ステップは、前記コンテンツリストの表示の指示を受けると、現在視聴中のコンテンツのコンテンツカテゴリに属するコンテンツリストの現在視聴中のコンテンツを含むコンテンツリストを表示させるステップを有することを特徴とするコンテンツリスト表示方法。
【請求項１１】
請求項９又は１０に記載のコンテンツリスト表示方法をコンピュータに実行させるためのプログラム。
【請求項１２】
請求項１１に記載のプログラムを記録したコンピュータ読みとり可能な記録媒体。
【発明の詳細な説明】
【技術分野】
【０００１】
本発明は、コンテンツ視聴装置及びコンテンツ表示装置に関し、特に、様々な種類のコンテンツソースから取得したコンテンツに関するコンテンツを管理し、見やすく表示する表示制御技術に関する。
【背景技術】
【０００２】
近年、視聴可能なコンテンツは、地上波放送、衛星放送、ケーブルテレビ放送など多岐に亘ってきている。代表的なコンテンツ視聴装置としては、デジタル放送受信装置（デジタルテレビジョン受信装置、記録再生装置など）が挙げられる。例えば、デジタルテレビジョン受信装置は、地上波放送、衛星放送、ケーブルテレビ放送などを視聴可能であり、また、記録再生装置に多くの外部機器が接続可能となり、入力切り替えにより視聴が可能になると、様々な記録メディアに一旦記録されているコンテンツを視聴することも可能になる。
【０００３】
下記特許文献１に記載の技術では、放送又は情報に割り当てられたチャネルをユーザが選択することにより、その選択されたチャネルに対応する放送または情報を受信しユーザに提示する受信装置において、分類されたチャネルをチャネルセットとして管理し、チャネルセット内のチャネルを管理するための管理データを記憶しておき、この管理データに基づいて、チャネルセットを切り替えて管理することにより、放送チャネルに加え、インターネットなどのネットコンテンツのチャネルも、チャネルセットという単位にまとめて扱うことにより、チャネル数が増えた場合でも全てのチャネルを区分けせずに同列に扱うことができるようになっている。
【０００４】
また、下記特許文献２は、番組を再生することができる装置において、リモコン装置などによりチャンネルを頻繁に切り替えながら視聴するザッピング処理が開始されたことを検知し、ザッピングが開始されたチャンネルのボタンに対してマークが付されたメニュー画面に表示することを開示している。この表示技術を用いると、ザッピングが開始されたチャンネルがわかりやすくなるため、ザッピング時に問題となっていた、どのチャンネルからザッピングを開始したかわからなくなるという不具合が生じない。
【先行技術文献】
【特許文献】
【０００５】
【特許文献１】国際特許公開２００７／０４３４８３号公報
【特許文献２】特開２００７−１９６９５号公報
【発明の概要】
【発明が解決しようとする課題】
【０００６】
上記のように、多数のコンテンツソースからコンテンツを取得して視聴できるようになると、例えば現在視聴中のコンテンツが、どのコンテンツソースから得られているかを確認したり、他のコンテンツソースで取得可能なコンテンツを確認したりする必要性が増してくる。
【０００７】
しかしながら、上記特許文献１を含む従来の技術では、インターネットなどを含む多数のコンテンツソースからのコンテンツの視聴を含む種々のイベントに関して、統一的に操作することは難しかった。
【０００８】
また、上記特許文献２に記載の技術では、視聴している番組を切り替える「ザッピング」操作中の表示手法について説明されているが、視聴番組を変えるのではなく、番組表を切り変える場合に関する言及はされていない。すなわち、番組を視聴しながら、番組表を使用する場合などにおいて、ユーザは、現在視聴している番組がどの番組であるかを番組表からは知ることができないという問題がある。
【０００９】
本発明は、インターネットコンテンツを含む利用可能な多数のコンテンツソースからのコンテンツを統一的に操作するコンテンツ視聴装置において、視聴するコンテンツを選択する際に、現在視聴中のコンテンツがどれであるかを理解しながら選ぶことができる技術を提供することを目的とする。
【課題を解決するための手段】
【００１０】
本発明の一観点によれば、コンテンツを視聴するコンテンツ視聴装置においてコンテンツ情報を取得するコンテンツ情報取得部と、前記コンテンツ情報取得部において取得した前記コンテンツ情報に基づいて、コンテンツ表示部にコンテンツリストを表示する制御を行うコンテンツ情報表示制御部と、を有するコンテンツ視聴装置において、前記コンテンツ情報表示制御部は、前記コンテンツリストの表示の指示を受けると、現在視聴中のコンテンツを含むコンテンツリストを表示させることを特徴とするコンテンツ視聴装置が提供される。
【００１１】
また、コンテンツを視聴するコンテンツ視聴装置において視聴可能なコンテンツの種別であるコンテンツカテゴリ毎にコンテンツ情報を取得するカテゴリ別のコンテンツ情報取得部と、前記カテゴリ別のコンテンツ情報取得部において取得した前記コンテンツカテゴリ毎のコンテンツ情報に基づいて、前記コンテンツカテゴリ毎にコンテンツ表示部にコンテンツリストを表示する制御を行うコンテンツ情報表示制御部と、を有するコンテンツ視聴装置において、前記コンテンツ情報表示制御部は、前記コンテンツリストの表示の指示を受けると、現在視聴中のコンテンツのコンテンツカテゴリに属するコンテンツリストのうち現在視聴中のコンテンツを含むコンテンツリストを表示させることを特徴とするコンテンツ視聴装置が提供される。尚、カテゴリが１つの場合も本発明に含まれる。また、カテゴリ以外の区分によるコンテンツリストであっても良い。
【００１２】
現在視聴中とは、放送であれば、チューナで選局しユーザが視聴中のチャネルの番組であり、ネットコンテンツであれば、現在、インターネット接続により外部のコンテンツサーバから取得して再生中のネットコンテンツである。また、記録デバイスであれば、ハードディスクやBlu-rayディスク、フラッシュメモリなどの記録媒体から読み出して再生中のタイトルである。
【００１３】
前記コンテンツ情報表示制御部は、前記コンテンツリストにおいて、現在視聴中のコンテンツに視覚的に認識可能な形態で現在視聴中コンテンツである旨の現在視聴中コンテンツ表示をするようにしても良い。前記コンテンツ情報表示制御部は、前記現在視聴中のコンテンツのコンテンツカテゴリに属するコンテンツリストが複数のページにわたる場合において、前記現在視聴中のコンテンツの位置に依存しないデフォルトのページ構成を維持して前記コンテンツリストを表示させることが好ましい。スクロールなどを行うと、チャネルリストの構成があいまいになり、操作性が悪くなるからである。ページ単位でリストの構成を同じにすると、リストの構成を一目で把握しやすい。
【００１４】
前記コンテンツ情報表示制御部は、同一コンテンツカテゴリのコンテンツリストを１ページ内に表示しきれない場合において、複数のページに分けて表示することが好ましい。文字が小さくなりすぎず、視認しやすくするためである。
【００１５】
前記コンテンツ情報表示制御部は、現在視聴中のコンテンツをページの位置に依存しないデフォルトのページ構成を維持して前記コンテンツリストを表示することが好ましい。
【００１６】
また、前記コンテンツ情報表示制御部は、前記表示部の視聴領域をスケーリングすることで形成された空き領域に前記コンテンツリストを表示させ、全画面表示との間で切り替え可能であり、前記現在視聴中コンテンツ表示を前記全画面表示への切り替え時にカーソル位置にあるコンテンツに更新することが好ましい。前記コンテンツカテゴリは、コンテンツを取得するソースであるコンテンツソースにより区別されているようにしても良い。前記コンテンツカテゴリには、光ディスク媒体、放送、外部機器の入力切り替えが含まれるようにすると良い。
【００１７】
また、前記コンテンツ情報取得部は、前記コンテンツ視聴装置から取得したコンテンツ群のそれぞれのコンテンツの取得元の情報を含むコンテンツ情報を取得するコンテンツ情報取得部と、インターネット経由で取得したネットコンテンツのネットコンテンツサーバのＵＲＬを含むネットコンテンツ情報を取得するネットコンテンツ情報取得部と、を備え、前記コンテンツ情報表示制御部は、前記コンテンツ情報取得部が取得した前記それぞれのコンテンツ情報に基づくそれぞれのコンテンツリストと前記ネットコンテンツ情報取得部が取得した前記ネットコンテンツ情報に基づくネットコンテンツリストとを、統合して１つのメニューに表示させる制御を行うことが好ましい。これにより、ネットコンテンツも同様に取り扱うことができる。
【００１８】
本発明の他の観点によれば、コンテンツを視聴するコンテンツ視聴装置においてコンテンツ情報を取得するコンテンツ情報取得ステップと、前記コンテンツ情報取得ステップにおいて取得した前記コンテンツ情報に基づいて、コンテンツ表示部にコンテンツリストを表示する制御を行うコンテンツ情報表示制御ステップと、を有するコンテンツリスト表示方法において、前記コンテンツ情報表示制御ステップは、前記コンテンツリストの表示の指示を受けると、現在視聴中のコンテンツを含むコンテンツリストを表示させるステップを有することを特徴とするコンテンツリスト表示方法が提供される。
【００１９】
また、コンテンツを視聴するコンテンツ視聴装置において視聴可能なコンテンツの種別であるコンテンツカテゴリ毎にコンテンツ情報を取得するコンテンツ情報取得ステップと、前記コンテンツ情報取得ステップにおいて取得した前記コンテンツカテゴリ毎のコンテンツ情報に基づいて、前記コンテンツカテゴリ毎にコンテンツ表示部にコンテンツリストを表示する制御を行うコンテンツ情報表示制御ステップと、を有するコンテンツリスト表示方法において、前記コンテンツ情報表示制御ステップは、前記コンテンツリストの表示の指示を受けると、現在視聴中のコンテンツのコンテンツカテゴリに属するコンテンツリストの現在視聴中のコンテンツを含むコンテンツリストを表示させるステップを有することを特徴とするコンテンツリスト表示方法が提供される。本発明は、上記に記載のコンテンツリスト表示方法をコンピュータに実行させるためのプログラムであっても良く、該プログラムを記録するコンピュータ読みとり可能な記録媒体であっても良い。
【発明の効果】
【００２０】
本発明によれば、コンテンツ視聴（再生）装置において、再生できるコンテンツの種類は多岐に渡っている場合でも、視聴するコンテンツを選択する際に、現在視聴中のコンテンツがどのカテゴリのどのコンテンツであるかを理解しながらコンテンツを選ぶことができ、快適に操作できるという利点がある。
【００２１】
また、番組等のコンテンツを視聴しながら番組表（コンテンツリスト）を使用する場合、ユーザは、現在視聴している番組（コンテンツ）がどれであるかを番組表（コンテンツリスト）を見ながら知ることができ、操作の際に役立てることができる。また、ネットワーク順やチャンネル順でザッピングする際の効率を高めることができる。さらに、既に選局中のチャンネルを再度選局してしまうことを防止し、ザッピングの効率を高めることができる。
【図面の簡単な説明】
【００２２】
【図１】本発明の実施の形態によるコンテンツ視聴装置について、デジタルテレビジョン受信装置を例にして示した機能ブロック図である。
【図２】本発明の実施の形態によるコンテンツ視聴装置内で管理されるネットコンテンツのデータ構造例を示す図である。
【図３】ネットコンテンツリスト（プログラム）の一例を示す図であり、インターネットを介して外部サーバから取得したネットコンテンツリストの一例を示す図である。
【図４】図２に示したＪａｖａスクリプトの実際のプログラムの構成例を示す図であり、図２のスクリプト５７の記述例を示す図である。
【図５】コンテンツ視聴装置の表示部における表示内容を示す図である。
【図６】放送をコンテンツソースとして選択してコンテンツリストを一覧表示させた場合の一覧表示の画面表示例を示す図である。
【図７】インターネットを介して提供されるネットコンテンツをコンテンツソースとして選択してコンテンツリストを一覧表示させた場合の一覧表示の画面表示例を示す図である。
【図８】図８（ａ）は、入力切り替えにより外部機器のＢＤレコーダから提供されるコンテンツをコンテンツソースとして選択してコンテンツリストを一覧表示させた場合の一覧表示の画面表示例を示す図である。図８（ｂ）は、入力切り替えのボタン７１ｂを押した場合における、別のリスト表示例を示す図である。
【図９】図９（ａ）から（ｍ）までは、コーション表示の例を示す図であり、サイド領域のリスト表示領域に様々なコーション表示した図である。
【図１０】本実施の形態によるコンテンツ視聴装置のうちコンテンツリスト表示に関する機能ブロック図である。
【図１１】リモコン装置の外観構成例を示す図である。
【図１２】初期表示時のスクリプトの動作の流れを示すフローチャート図である。
【図１３】ソースカテゴリのリスト表示更新処理の流れを示すフローチャート図である。
【図１４】本実施の形態による更新をともなう表示処理の流れを示す図であり、図３に示すようなコンテンツの提供を行っているプロバイダ（コンテンツサーバ）の取得を含む処理の流れを示すフローチャート図である。
【図１５】本発明の第２の実施の形態によるコンテンツ視聴装置におけるリスト表示のメニューを示す図である。
【図１６】本実施の形態によるコンテンツ視聴装置における機能ブロック図であり、図１０に対応する図である。
【図１７】本実施の形態によるコンテンツリスト表示（メニュー表示）の一構成例を示す図である。
【図１８】本実施の形態によるコンテンツリスト表示（メニュー表示）のメニュー内における番組情報の表示方式の原理を示す図である。
【図１９】本実施の形態によるコンテンツリスト表示（メニュー表示）における視聴中コンテンツマークの付与例を示す図である。
【図２０】図１９に対応する本実施の形態によるコンテンツリスト表示（メニュー表示）の処理の流れを示すフローチャート図である。
【発明を実施するための形態】
【００２３】
以下、本発明の第１の実施の形態によるコンテンツ表示技術を含むコンテンツ視聴装置（以下、コンテンツ視聴装置と称する。）について、デジタルテレビジョン受信装置を例にして説明する。
【００２４】
図１は、本実施の形態によるコンテンツ視聴装置について、デジタルテレビジョン受信装置を例にして示した機能ブロック図である。図１に示すように、本実施の形態によるコンテンツ視聴装置１０は、多くの種類のコンテンツソースからのコンテンツを取得することができるようになっている。すなわち、本実施の形態によるコンテンツ視聴装置は、例えば、アナログテレビ放送を受信するアナログ放送用アンテナ１１、デジタルテレビ放送を受信するデジタル放送用アンテナ１３、ハードディスク駆動装置（ＨＤＤ）、メモリ装置、ＢＤ（ブルーレイディスク）、ＤＶＤディスク、ＣＤなどの記録媒体を駆動し、格納されている外部機器３０が再生するコンテンツ、光媒体から直接取得するコンテンツ、電話回線、ＬＡＮ回線などを用いインターネット４１を介して外部サーバ４３などから取得するネットコンテンツなどを入力することができる。
【００２５】
上記各コンテンツは、コンテンツデータ受信部１５において受信処理が行われる。コンテンツデータ受信部１５は、上記の各種コンテンツについて、それぞれ、アナログチューナ部１２、デジタルアナログチューナ部１４、外部入力部３１、記録／再生部３２、通信制御部３４により、受信処理が行われる。
【００２６】
コンテンツデータ受信部１５により受信処理が行われた各種コンテンツデータは、コンテンツデータを管理するコンテンツデータ管理部１６に入力される。コンテンツデータ管理部１６では、コンテンツデータを、映像データと、音声データと、コンテンツメタデータと、に分離する。映像データは映像処理部１９に、音声データは音声処理部２５に、コンテンツメタデータはコンテンツメタデータ管理部２６に出力される。
【００２７】
全体制御部（ＣＰＵ）６は、映像処理部１９を介して表示の制御を行う表示制御部６ａ、音声処理部２５を介して音声の制御を行う音声制御部６ｂ、コンテンツデータ管理部１６、コンテンツメタデータ管理部２６など全体の制御を行う。実際には、メモリ７の制御用プログラム記憶部７ａ内のプログラムにより制御が行われるようになっている。７ｂは、後述するネットコンテンツ情報蓄積部である。コンテンツメタデータ管理部２６は、コンテンツの種別、コンテンツ制作者などのコンテンツ情報を管理し、コンテンツデータ管理部１６はコンテンツの内容データの入出力などを管理する。
【００２８】
コンテンツデータ管理部１６、コンテンツメタデータ管理部２６の管理のもと、映像処理部１９で処理された映像データは映像出力部２１に、音声処理部２５で処理された音声データは音声出力部３７に、おいて、同期部２０で同期がとられ、それぞれ、映像表示装置（ＬＣＤなど）２２、音声出力部（スピーカ）２８に送られ、出力される。また、リモコン装置３６によりユーザからの指示を受けたリモコン受光部３５により、ＣＰＵ６を介して、種々の操作に関する指示に基づく表示・音声等の制御が行われる。
【００２９】
表示制御部６ａは、番組情報などのコンテンツ情報に基づいて作成される電子番組表（ＥＰＧ）、後述する本実施の形態によるコンテンツリスト表示及びコンテンツリスト表示における操作による各種表示等を制御する。この際、例えば、デジタル放送では、EIT（Event Information Table）、すなわち、番組タイトル、内容、放送時間、その他の属性を記述した情報に基づいて、番組表などに表示する番組情報データを取得する。
【００３０】
図２は、本実施の形態によるコンテンツ視聴装置内で管理されるネットコンテンツのデータ構造例を示す図である。図２に示すように、本実施の形態によるコンテンツ視聴装置内で管理されるネットコンテンツ５１のデータ構造は、例えば、多数のネットコンテンツ群５５−１〜ｎ（ｎは正の整数）と、そのヘッダとしてネットコンテンツ群５５−１〜ｎのリスト情報５３とを有する構成で管理されている。リスト情報５３は、例えば、それぞれのコンテンツと関係付けされてそのコンテンツの著者５３ａと、更新単位５３ｂと、更新頻度５３ｃと、を含むコンテンツに関する情報（内容ではなく）を有している。更新単位５３ｂとは、１つのネットコンテンツ内のおける１回の更新での単位又は複数のコンテンツでまとめて更新する単位などを示す。また、更新頻度とは、更新単位での、更新のタイミングであり、例えば１週間に１回などの情報又は、最終更新時刻などの情報を含む。
【００３１】
また、ネットコンテンツ５５−ｎは、それぞれ、タイトル５５ａ、サブタイトル５５ｂ、コンテンツへのリンク（ＵＲＬなど）５５ｃ、拡張情報５５ｄ、（最終）更新時刻５５ｅ、著者５５ｆ、サマリ（要約）５５ｇ、コンテンツを標示するためのアイコンデータへの参照５５ｈなどを含んでいる。この例では、コンテンツ自体は、外部サーバ、記録媒体などに格納されており、リンクによって関連付けられている。
【００３２】
スクリプト５７は、変数宣言５７ａと、データ取得処理５７ｂと、表示処理５７ｃと、ファイルが呼ばれるときに実行されるべき行動の表現であるハンドラを登録するハンドラ登録処理５７ｄと、を有しており、これらの各処理は一般的にはソフトウェアにより実行される処理部となっている。
【００３３】
図３は、ネットコンテンツリスト（プログラム）の一例を示す図であり、インターネットを介して外部サーバから取得したネットコンテンツリストの一例を示す図である。このネットコンテンツリスト６１では、ヘッダ部分にＸＭＬによるタグ形式で、リスト所有者のＵＲＬが記述されている。リスト情報６３には、リスト編集者名６３ａと、リストのＩＤ６３ｄと、更新期間（例えば１時間など）６３ｂと、更新頻度（例えば、（１時間に）２回など）６３ｃと、が記述されている。
【００３４】
その下には、上記リスト情報６３に示されるネットコンテンツ（１〜ｎ）６５−１〜ｎまでの各ネットコンテンツ（ここでは、ネットコンテンツ（１）６５−１）の内容に関する情報が記述されている。ここでは、タイトル６５ａと、サブタイトル６５ｂと、コンテンツのＵＲＬ６５ｃと、コンテンツを取得するためのアクセス先であるＵＲＬのＩＤ６５ｄと、カテゴリ項目として更新に関する情報であることを示す項目６５ｄと、最新の更新時刻６５ｅと、著者情報６５ｆと、コンテンツの内容の要約６５ｇと、コンテンツのタイプ６５ｈ、例えば、どこから取得したどのようなタイプ（動画など）のコンテンツであるかに関する情報が記述され、これらの情報は、図２に示したネットコンテンツ５５−ｎの構成例と対応している。以下に、ネットコンテンツ（２〜ｎ）６５−２〜ｎまでの各ネットコンテンツの情報が順番に記述される。
【００３５】
他の放送コンテンツや媒体からコンテンツを取得する場合には、ネットコンテンツと同様に、放送であればチャネルＩＤ、媒体であればその識別番号などコンテンツを取得するためのアクセス先が必要である。ネットコンテンツへのアクセス先であるＵＲＬ情報を含む上記データ構成をネットコンテンツにも持たせることにより、他の放送コンテンツや媒体から取得したコンテンツと同様に、コンテンツを選択した場合にそのコンテンツへアクセスすることができ、後述するチャネルリストに基づいて、チャネルＩＤやＵＲＬを介してネットコンテンツを含めた各種コンテンツを選択し視聴したりするための操作を統一的に行うことができる。
【００３６】
図４は、図２に示したＪａｖａスクリプトの実際のプログラムの構成例を示す図であり、図２のスクリプト５７の記述例を示す図である。変数宣言６７ａは、データ取得処理のための変数を定義するための部分であり、（ｘ，ｙ）で示される領域の値（始点、幅、高さなど）を定義する。データ取得処理プログラム６７ｂは、実際のデータ取得処理を実行するためのプログラムの記述例である。表示処理プログラム６７ｃは、コンテンツ一覧をどのように表示するかを記述したプログラムであり、この部分の解析を行って、後述するコンテンツリストを表示させる。具体的には、キー操作に応じてコンテンツリストなどをどのように表示させるか、また、表示画面上におけるコンテンツリストの表示位置、どのようなアイコンで表示するかなどが、符号６７ｃ−１〜３などの記述に基づいて決められる。符号６７ｃ−１は、ｘ，ｙ座標での表示位置を示しており、符号６７ｃ−２、３は、どのアイコンをどこの表示位置に表示させるか関する記述をしている。ハンドラ登録処理プログラム６７ｄは、ファイルが呼ばれるときに実行されるべき行動の表現であるハンドラを登録するハンドラ登録処理５７ｄに対応する記述例を示している。
【００３７】
このようなＪａｖａスクリプトの記述により、以下に説明するように、コンテンツリストを含むコンテンツに関する表示及び操作を任意に行わせることができるように構成されている。
【００３８】
以下においては、上記コンテンツデータ、プログラムを利用した実際のコンテンツリストの表示、操作例について詳細に説明する。図５は、コンテンツ視聴装置の表示部２２における表示内容を示す図である。図５に示すように、表示部２２は、リモコン装置３６の操作により、映像領域が全画面にわたっている一般的な全画面表示２２ａの表示モード（右図側、例えば、ＴＶ画面が表示されている。）と、左図に示すように、映像領域２２ａがスケーリングにより例えばワイド画面の縦横比を保ったままで縮小されることで余白の領域として、トップ領域２２ｂ、ボトム領域２２ｃ、サイド領域２２ｄが形成され、これらの余白領域に様々な情報を表示させることができる同時メニュー表示モードとの間で遷移させることができる（左図側）。以下では、サイド領域２２ｄを利用したコンテンツリスト表示技術について具体的に説明する。但し、どの領域にコンテンツリストを表示するかに関しては限定されるものではない。
【００３９】
サイド領域２２ｄには、例えばコンテンツのソースのカテゴリ別にコンテンツリストを表示させるための多数のボタンがＧＵＩとして設けられているソースカテゴリ表示領域７１と、その下の領域において、ソースカテゴリ表示領域７１において選択された、あるソースカテゴリのコンテンツの一覧（リスト）表示を行うコンテンツリスト一覧表示領域７３（７３−１からｎ）と、が設けられている。
【００４０】
横長に形成されているソースカテゴリ表示領域７１は、例えば、各コンテンツのソース毎のボタンが横方向に並ぶように配置されている。ここでは、ＢＤ（衛星放送）ボタン７１ａ、入力切り替えボタン７１ｂ、地上デジタル放送ボタン（地Ｄ）７１ｃ、ＢＳ（衛星）放送ボタン（ＢＳ）７１ｄ、ＣＳ（通信衛星）放送ボタン（ＣＳ）７１ｅ、ネットコンテンツボタン７１ｆ、などが同列に配置されている。上述のように、ネットコンテンツに関しても、他のコンテンツと同様のデータ構成とすることで、同じように処理を行うことができる。例えば、ＢＤボタン７１ａが選択されると（梨地のハッチが施されている）、現在、自機のＢＤドライブに挿入されているＢＤ媒体に格納されているコンテンツのリストがコンテンツリスト一覧表示領域７３において列方向に全て一覧表示される。また、その下に示される図のように、ネットボタン７１ｆが選択されると（梨地のハッチが施されている）、例えば現在インターネットを介して接続中の外部サーバにおいて選択したインターネットコンテンツのリストがコンテンツリスト一覧表示領域７３において、図２、図３に示すようなデータ構成に基づいて、列方向に一覧表示される。
【００４１】
より詳細にリストの１行内の表示領域７３をみると、１、２などのリストにおける上から数えた順番を示す番号８１と、ＴＢＳなどの放送局を示す画像８３と、例えば、一行目８５−１には放送局が、二行目８５−２にはコンテンツの簡単な情報が表示されるようになっている。
【００４２】
さらに、ある行（ここでは行７３−４）にフォーカスが当たっている状態で確定ボタンを押すと、コンテンツリスト一覧表示領域７３に、選択された行のコンテンツの詳細表示がなされる。この詳細表示９１では、選択されたコンテンツに関するコンテンツ番号９１ａと、コンテンツのタイトル９１ｂと、サブタイトル９１ｃと、詳細説明９１ｄとが、図２、図３に示すようなデータ構成に基づいて表示される。
【００４３】
このように、ユーザにおいては、映像領域においてコンテンツを視聴しながら、サイド領域などでコンテンツに関する表示や操作を行うことができるため、非常に便利である。
【００４４】
図６は、放送をコンテンツソースとして選択してコンテンツリストを一覧表示させた場合の一覧表示の画面表示例を示す図である。ここでは、ソースカテゴリ表示領域７１で地Ｄボタン７１ｃが選択され、コンテンツリスト一覧表示領域７３に、地上デジタル放送のコンテンツリストが表示されている場合を例にして説明する。７３−２で示す行には、矢印で例示も示されているような内容が表示される。番号新着表示１０１としては“２”が、局ロゴ１０３としては“ＮＨＫ２”などの放送局のロゴマークが、サービスＩＤ１０５としては“０２１”などのサービスＩＤが、サービス名１０７としては“ＮＨＫ教育”などのサービス名が、番組タイトル１１１としては“ＮＨＫ高校講座  日本史”などのタイトルが表示され、一目でリスト中の各コンテンツの概要が判断できるように最小限の内容が表示されている。ここで、フォーカスがあたっている行の詳細表示をさせるための操作を行うと、右下図に例示され左下図に示されるような放送コンテンツの詳細情報に表示が切り替わる。例えば、この図では、番号１２３として“２”が、局ロゴ１２５として“ＮＨＫ２”が、番組タイトル１３７として“ＮＨＫ高校講座  日本史”が、放送時間１４１として、午後３時３０分から午後４時００分までという時間帯が、詳細情報１４３として映像、音声などの情報や、視聴年齢制限、録画回数制限、コンテンツの内容の詳細などが表示され、操作ガイド１４５として、どのようなボタン操作をすると、どのような処理が行われるかなどのガイドなどを表示させる。これらの情報は、基本的には、放送波において提供されるいわゆる番組情報であり、ＥＰＧなどもこれらの番組情報に基づいて作成される。コンテンツリスト表示時に、コンテンツに視聴中であることを示すマークを付しておくことで、現在視聴中のコンテンツを一目で知らせるようにすると便利である。
【００４５】
図７は、インターネットを介して提供されるネットコンテンツをコンテンツソースとして選択してコンテンツリストを一覧表示させた場合の一覧表示の画面表示例を示す図である。ここでは、ソースカテゴリ表示領域７１においてネットボタン７１ｆが選択され、コンテンツリスト一覧表示領域７３に、インターネットコンテンツのコンテンツリストが表示されている場合を例にして説明する。
【００４６】
符号７３−２で示す行には、矢印で例示も示されているような内容が表示される。番号表示１５１としては“２”が、サービスアイコン１５３としては“Ｙ！”などのインターネットソース（例えば外部サーバなど）のロゴマークが、タイトル１５７としては、 “○ａｈｏｏ！Ｊａｐａｎ  Ｆｏｒ  △ＱＵＯＳ”などのインターネットサイト名が、サブタイトル１６１としては“テレビでも○ａｈｏｏＪａｐａｎ”などのサブタイトルが表示され、一目でリスト中のインターネットコンテンツの概要が判断できるように最小限の内容が表示されている。
【００４７】
ここで、フォーカスがあたっている行の詳細表示をさせるための操作を行うと、右下図に例示され左下図に示されるようなインターネットコンテンツの詳細情報１７１に表示が切り替わる。例えば、この図では、番号１７３として“２”が、局ロゴ１７５として“Ｙ！”が、新着通知１７７として“（ＮＥＷ）更新されています”が表示されて最新のコンテンツであることを知らせる。また、タイトル１８１、サブタイトル１８３も表示される。詳細な表示の一例としては、更新日時１８５、サービス事業者１８７、コンテンツ自体の内容や付随するサービスなどの詳細１９１、操作ガイド１９５として、どのようなボタン操作をすると、どのような処理が行われるかなどのガイドなどを表示させる。これらの情報は、基本的には、図２、図３に示すように、コンテンツに付随して提供されるコンテンツ情報に基づいて、放送と同様の形式で作成することができる。
【００４８】
図８（ａ）は、入力切り替えにより外部機器のＢＤレコーダから提供されるコンテンツをコンテンツソースとして選択してコンテンツリストを一覧表示させた場合の一覧表示の画面表示例を示す図である。デジタル放送受信装置と外部機器との接続は、例えば、ＨＤＭＩ規格による双方向通信ケーブルにより行われるようにすれば良い。その他の接続可能な外部機器としては、光速赤外線通信の規格であるＩＲＳＳに対応する携帯端末やカメラ、レコーダなど、デジタルムービーやゲーム機器、ホームネットワークが家電なども対象となる。
【００４９】
ここでは、ソースカテゴリ表示領域７１においてＢＤ（入力切り替え）ボタン７１ｂが選択され、コンテンツリスト一覧表示領域７３に、外部機器のＢＤコンテンツのコンテンツリストが表示されている場合を例にして説明する。
【００５０】
符号７３−２で示す行には、矢印で例示も示されているような内容が表示される。番号表示２０１としては“２”が、番組タイトル２０３としては、 “大相撲名古屋場所―三日目―”などの番組タイトル名が表示され、その下には、録画日時２０５として、例えば “７／１４（火）１８：００〜  ３０分”というような情報が記載されている。これらの情報は、ＢＤに録画した際にＢＤに記録される情報である。尚、記録元のソースを例えばＢＳなどのように表示するようにしても良い。
【００５１】
図８（ｂ）は、入力切り替えのボタン７１ｂを押した場合における、別のリスト表示例を示す図である。入力アイコン２１１として、例えば２１１ａのように入力２のアイコンが表示され、入力名２１３としては△ＱＵＯＳ  ＢＤレコーダー２１５ａが表示され、入力状態２１５としては、例えば、“切り替えできます”２１５ａなどのような表示がなされる。或いは、符号２１１ｂのように、入力アイコン２１１ｂが不可のマークであり、入力名２１３ｂが入力４、入力状態２１５ｂが“切り換えできません”などのようになっていても良い。このように、外部機器に関する入力切り換えは、機器の種類を可能な限り拡張できるようになっている。従って、家庭内ネットワーク機器に拡張することも可能である。
【００５２】
次に、画面表示のうち、コーション表示の表示例について説明する。図９（ａ）から（ｍ）までは、コーション表示の例を示す図であり、サイド領域２２ｄのリスト表示領域に様々なコーション表示をすることができる。これらのコーション表示には、操作目的に応じた処理自体ができない旨の表示と、現在処理中であるためユーザに待つように知らせるための表示と、に大別される。前者の表示は、ユーザに操作が無効であること、又は、操作を可能にするために外部機器などを接続する必要があることを示し、後者の表示は、ユーザに処理の完了を待つように知らせるための表示である。これらのコーション表示により、ユーザに対して、安心感を与えることができる。
【００５３】
次に、本実施の形態によるコンテンツ管理・表示装置についてより詳細に説明する。本実施の形態によるコンテンツ視聴装置は、インターネットからインターネットコンテンツのリストを取得するためのネットコンテンツ情報取得手段と、テレビジョン受信装置（端末装置）が受信する放送コンテンツリストを取得するための放送コンテンツ情報取得手段と、テレビジョン受信装置（端末装置）に接続できる入力切替（ＨＤＭＩ規格等による接続）コンテンツリストを取得するための入力切替コンテンツ情報取得手段と、蓄積メディア(ＢＤなどの光媒体など、その他)のコンテンツリストを取得するための蓄積メディアコンテンツ情報取得手段と、上記各取得手段の取得内容に基づき、上記のような表示スクリプトを実行して、コンテンツを一覧表示するコンテンツ一覧表示手段と、一覧表示での操作に基づき、コンテンツの再生等の処理を開始するコンテンツ処理選択手段と、を有している。図１０は、上記の各手段をこれらの表示制御部６ａ、コンテンツデータ管理部１６、コンテンツメタデータ管理部２６を含む本実施の形態によるコンテンツ視聴装置のうちコンテンツリスト表示に関する機能で表現した場合の機能ブロック図であり、破線部内の機能部が、図３に示すようなプログラムにより実行されるコンテンツリスト表示に関する処理を行う主要部である。尚、メモリ７中に、スクリプト蓄積手段７ａと、ネットコンテンツ情報蓄積部７ｂとが設けられ、ネットワーク通信部３４ａ、コンテンツ出力手段（２２，２８）、入力手段３６は、図１に示されている機能である。
【００５４】
コンテンツ情報取得部２５１は、放送波から放送コンテンツに関する情報を取得する放送コンテンツ情報取得部（放送コンテンツ情報取得手段）２５１ａと、入力切り替えを行って外部機器からコンテンツを取得する入力切り替えコンテンツ情報取得部（入力切替コンテンツ情報取得手段）２５１ｂと、ＢＤなどの記録媒体からＢＤコンテンツに関する情報を取得するＢＤコンテンツ情報取得部（蓄積メディアコンテンツ情報取得手段）２５１ｃと、ネットコンテンツ情報取得部２５１ｄと、を有している。ネットコンテンツ情報取得部（ネットコンテンツ情報取得手段）２５１ｄは、ネットコンテンツ情報取得制御部２５６の制御により、ネットワーク通信部３４ａを介してネットコンテンツの情報を取得し、取得したネットコンテンツ情報は、ネットコンテンツ情報蓄積部７ｂに蓄積される。この情報を、ネットコンテンツ情報取得部２５１ｄが取得する。コンテンツ情報には、そのコンテンツへのアクセス先である、例えば放送でれば放送局又はチャネルＩＤが、ネットコンテンツであれば外部コンテンツサーバへのＵＲＬが含まれている。ネットコンテンツを一旦、コンテンツ視聴装置のメモリなどに蓄積した場合でも、取得元の外部コンテンツサーバへのＵＲＬ情報を保持しておくことで、例えばネットコンテンツ情報が更新された場合には、メモリなどに蓄積したネットコンテンツ情報も更新することが容易にできる。
【００５５】
以上のようにしてコンテンツ情報取得部２５１において取得されたコンテンツ情報と、視聴状態を取得する視聴状態取得部２５３からの視聴状態とは、スクリプト蓄積手段７ａに蓄積されたスクリプトを用い、コンテンツ情報表示手段（コンテンツ一覧表示手段）２５５においてコンテンツ情報として例えば上記のようにコンテンツリストが表示される。さらに、コンテンツリスト（メニュー表示）を参照しながら、ユーザによる入力手段３６からの入力イベントに応じて、コンテンツ選択手段２５７において選択されたコンテンツが、コンテンツ出力手段（２２，２８）において出力されるようになっている（コンテンツ処理選択手段に相当する）。
【００５６】
図１１は、リモコン装置３６の外観構成例を示す図である。リモコン装置３６は、筐体２６０の表面に多数の操作ボタンが設けられており、電源ボタン２６７、数字・文字入力ボタン２６１、放送切り替えボタン２６２、入力切り替え、インターネット接続、データ連動、音量、選局ボタン２６８、録画リスト表示ボタン、番組表表示ボタン２６３、方向キー２６４、決定キー２６５、機能を割り付け可能な４つのカラーキー２６７、画面表示、ツール、ホームなどのボタン２６６が設けられている。ホームボタン２６６が、上記のようなコンテンツリスト表示モードと全画面視聴モードとの切り替えボタンになっている。方向キー２６４のうち、左右キーで図５のソースカテゴリ表示領域７１のソースカテゴリボタン７１ｎを選択することができ、上下キーで、ソースカテゴリ表示領域７１とコンテンツリスト表示領域７３ｎとの間でカーソルを移動させることができる。決定キーで、選択中のカーソルがあたっている項目を実行することができる。
【００５７】
以上において説明したハードウェア及びソフトウェア構成に基づいて行われる各機能の処理について以下に説明する。
【００５８】
図１２は、初期表示時のスクリプトの動作の流れを示すフローチャート図である。まず、ステップＳ１において、例えば、リモコンのメニューボタン（トップメニュー）を押すと、それをトリガーとして、ステップＳ２において、ネットコンテンツ情報の取得処理が開始される。前述のように、ここでは、ネットコンテンツ情報には、ネットコンテンツサーバへのアクセス先であるＵＲＬ情報がネットコンテンツと対応されるように含まれている。コンテンツの種別（ソースカテゴリ）毎に取得処理がなされる。ステップＳ３において、ソースカテゴリのうちのいずれが選択されたかに関する視聴カテゴリを取得する。ステップＳ４において、視聴中のコンテンツのコンテンツ情報を取得する。ステップＳ４において、視聴状態を取得する。例えば、ＢＳ１を視聴しているなどの情報である。次いで、ステップＳ６において、リスト表示が可能であるか否かを判定し、ＹＥＳ（成功）の場合には、ステップＳ７で、視聴中のコンテンツのリストを表示し、処理を終了する（ステップＳ９）。ステップＳ６でＮｏ（失敗）の場合には、ステップＳ８でその旨のコーション表示（図９（ｈ）参照）を行い、ステップＳ９に進む。このようにして、リスト表示を行わせるための操作を検出した場合には、視聴中のコンテンツに関する情報を取得して、リスト表示が可能であればリスト表示を行う。また、ソースカテゴリの異なるボタンが押されると、そのソースカテゴリのリスト表示を行うための同様な処理が実行される。
【００５９】
尚、ステップＳ１よりも前に、放送コンテンツ、ＢＤコンテンツ、入力切り替えコンテンツなどのその他のコンテンツに関しては、既にリスト表示可能なコンテンツ情報、例えば、放送コンテンツの場合には、図６に示す局ロゴ１０３、サービスＩＤ１０５、サービス名１０７、番組タイトル１１１などを表示できる番組情報を図１０に示す放送コンテンツ情報取得部２５１ａが既に取得しており、メモリに記憶していつでもリスト表示できる状態になっていることが好ましい。これらの情報と、新たに取得したネットコンテンツ情報とを用いて図６、図７のようなリスト表示が可能になっている。
【００６０】
図１３は、ソースカテゴリのリスト表示更新処理の流れを示すフローチャート図である。特に、インターネットコンテンツは頻繁に更新される場合も多い。図１３に示すように、まず処理が開始されると（ステップＳ１１：更新を検出すると自動的に介しされるようにしても良いし、定期的に更新の有無を監視していても良い。）、ステップＳ１２で更新されたコンテンツカテゴリを取得する。例えばネットコンテンツのカテゴリが更新されたものとして説明する。ステップＳ１４において、現在視聴中のコンテンツが、更新されたカテゴリに属するか否かを判定する。属しない場合には（ＮＯ）、更新処理を終了する（ステップＳ１８）。属する場合には（ＹＥＳ）、ステップＳ１５に進み、コンテンツリストを表示することが可能か否かを判定する。表示が可能であれば（ＹＥＳ）、ステップＳ１６に進みリストを表示、ステップＳ１８に進む。リスト表示が不可能な場合には、ステップＳ１７に進みステップＳ１７で、図９（ｋ）に示すようなリスト表示不可のコーション表示を行った後にステップＳ１８に進む。
【００６１】
図１４は、本実施の形態による更新をともなう表示処理の流れを示す図であり、図３に示すようなコンテンツの提供を行っているプロバイダ（コンテンツサーバ）の取得を含む処理の流れを示すフローチャート図である。インターネットコンテンツリストの更新のタイミングとして、まず、コンテンツリストに更新間隔が記述されており、図３に示す記述に従って、定期的に更新したコンテンツリストを取得する。
【００６２】
ここで、電源オンされるとコンテンツリストの取得処理が開始され（ステップＳ２１）、図１０に示すコンテンツ情報取得部２５１内のネットコンテンツ情報取得部２５１ｄが、図３に示されるネットコンテンツリスト６１のヘッダのＵＲＬに記述されているコンテンツサーバにネットコンテンツのリストの送信を要求する（ステップＳ２２）。リストの取得に成功すると（ステップＳ２３でＹＥＳ）ステップＳ２４に進み、リストの取得に失敗すると（ステップＳ２３でＮＯ）ステップＳ３１に進む。
【００６３】
ステップＳ２４においては、ネットコンテンツ情報蓄積部７ｂ内に書き込み、ステップＳ２５において、コンテンツ情報取得部２５１内のネットコンテンツ情報取得部２５１ｄに更新を通知する。これまでの処理により、コンテンツのリスト（文字）が取得される。
【００６４】
次いで、ステップＳ２６において、コンテンツのアイコンをコンテンツサーバに要求し、ステップＳ２７において、コンテンツのアイコンをネットコンテンツ情報蓄積部７ｂ内に書き込み、ステップＳ２８において、コンテンツのアイコンの取得をネットコンテンツ情報取得部２５１ｄに通知する。ステップＳ２９で、取得するべき次のアイコンが存在するか否かを判定し、次のアイコンが存在すれば（ＹＥＳ）ステップＳ２６に戻り、次のアイコンを取得する処理を繰り返す。次のアイコンがなくなると（ステップＳ２９でＮＯ）、ステップＳ３０に進み、次回の取得タイマーを設定し、処理を終了する（ステップＳ３２）。ステップＳ３１に進むと、次回の取得タイマーを現在よりも長めに設定してリストの取得がしやすく設定して、今回の処理は終了する（ステップＳ３２）。このように、コンテンツリストの取得に失敗した場合には、次回の取得間隔の長めに設定することで取得しやすくする。
【００６５】
但し、メニューキーが押されメニュー表示をする際には、次回の取得間隔が伸ばされている場合でも、再度、取得処理を行うようになっている。メニューキーが押されることが優先的な取得開始の条件になっているからである。また、コンテンツリスト（文字表示）の取得、アイコンの取得の順番にすることで、文字のリストを早めに表示することができる。また、放送を受信して表示する映像表示装置において、チャンネル一覧を表示する際、現在映像を表示しているチャンネルを含むページを自動的に表示しても良いし、その場合に、現在映像を表示しているチャンネルを一覧の中で強調表示するようにしても良い。
【００６６】
図１７は、本実施の形態によるコンテンツ視聴装置における表示部２２における表示構成例（メニューレイアウト）を示す図であり、上記図５に対応する図である。表示部２２には、全画面表示における映像領域をスケーリングして小さくした映像領域２２ａと、スケーリングにより生成された余白領域（例えば、上側のトップ領域２２ｂ、右側のサイド領域２２ｄ、下側にボトム領域が形成されていても良いし、いずれかを設ける構成でも良い。）と、を有している。トップ領域２２ｂには、番組表表示、設定、ツール、チャネルなどの様々なボタンが並んでおり、これらのボタンにより、番組表やチャネルなどを表示させることができる。サイド領域２２ｄには、コンテンツメニューであるコンテンツリスト表示がされている。
【００６７】
このコンテンツリスト表示には、コンテンツのソースのカテゴリ（例えばコンテンツソース）別にコンテンツリストを表示させるための多数のボタンがＧＵＩとして設けられているソースカテゴリ表示領域７１と、その下の領域において、ソースカテゴリ表示領域７１において選択された、あるソースカテゴリ（ここでは、ＣＳ）のコンテンツの一覧（リスト）表示を行うコンテンツリスト一覧表示領域７３（７３−１から５、以下７３−ｎまでが存在するが、ここでは、７３−５までが表示されている。）と、が設けられている。
【００６８】
コンテンツデータは、図１のコンテンツデータ管理部１６において管理され、コンテンツメタデータは、図１のコンテンツメタデータ管理部２６において管理されている。コンテンツメタデータは、コンテンツの属性に関する情報であり、コンテンツ名、著者名、放送であれば放送局と放送時間帯、番組情報、出演者情報などを含む情報群である。この例では、通信衛星放送（ＣＳ）ボタン又はタブなどによりＣＳ放送の番組リストが表示されている。
【００６９】
ここでは、ＣＳ放送のコンテンツリストが表示されており、このリストには、ＣＳ放送の番組情報７３−１〜７３−５が表示されている。例えば、番組情報７３−５には、現在視聴中番組（コンテンツ）であることを示す現在視聴中マーク（カレントマーク）表示領域３０１と、チャネルアイコン表示領域３０３と、番組内容などに関する情報（タイトル、主演者、放送時間帯など）の表示領域３０５とが設けられている。尚、例えば、先週の同じ時間帯に視聴していたチャンネルにも、現在視聴中マーク（カレントマーク）表示と識別可能な同様のマークを付すようにしても良い。現在視聴中番組（コンテンツ）の識別（特定）は、メモリ７内において、コンテンツの識別子などを記憶しておけば良い。
【００７０】
図１８は、コンテンツリストの表示原理をイメージで示した図である。ソースカテゴリ表示領域７１において選択されたコンテンツソース（ここではＢＳ７１ｄ）の同一カテゴリに多数の番組がある場合には、コンテンツリスト一覧表示領域７３において、全てのコンテンツを標示すると文字等が小さくなりすぎて見づらいため、１ページで全てを表示させることが好ましくないケースが多い。そこで、本実施の形態では、コンテンツリスト一覧表示領域７３に、例えば、ＣＨ１からＣＨ５までを１ページ（１列目）として表示させ、２ページ目（２列目）にはＣＨ６からＣＨ１０までを表示し、３ページ目（３列目）にはＣＨ１１及びＣＨ１２を表示させている（本来はＣＨ１５までを表示させるが、ここでは、ＣＨ１２までしかないと仮定している）。ここで、重要なことは、一般的な従来のリストのように、多数のコンテンツ（番組）情報を順次スクロールさせるのではなく、例えば５つの番組を１ページに表示させるというようにページレイアウトを維持したままでページをめくるように、チャネルリストを遷移させる点である。レイアウトは、図２、図３などの記述に基づいて決めることができる。
【００７１】
このように、選局中のチャンネルをページの始点や中心にせずに、元々のページ構成を維持する一覧の中でチャンネルの表示位置が固定することで、多数のチャネルをスクロールさせることによりユーザが視覚的に混乱することを防止することができる。
【００７２】
図１９は、図５に対応する詳細な図であり、コンテンツ表示画面２２ａを全画面にする全画面表示モード（上図）と、コンテンツ表示画面をスケーリングして余白にメニュー表示等を行った同時メニュー表示モード（下図）との遷移の様子を示す図である。例えば、図１１のリモコン装置のホームボタン２６６を押すことによりこの遷移が生じる。
【００７３】
ここで特徴的な点は、全画面表示モードから、リモコン操作により同時メニュー表示モードに遷移する場合において、同時メニュー表示モードにおいてコンテンツリスト（一覧）を表示する際には、現在映像が表示しているコンテンツ（チャンネル）を含むページを自動的に表示されるように構成されている点である。
【００７４】
図１９では、下図のように、チャネルリスト表示ボタン２２−１が押されると、上図の全画面映像領域２２ａには現在視聴中のＢＳデジタル放送のＣＨ８の映像が表示されていた場合に、下図のスケーリングされた映像領域２２ａにも、現在視聴中のＢＳデジタル放送のＣＨ８の映像が表示されるとともに、ソースカテゴリ表示領域２２ｄにおいては、ＢＳボタン７１ｄが強調表示等視覚的に認識可能な状態で表示され（マーク、フォーカスなど周知の手段で良い）、さらに、コンテンツリスト一覧表示領域７３において、現在視聴中のコンテンツを含むページが表示されるようになっている。この例では、ＢＳ放送のＣＨ８、すなわち、図１８の２列目のＣＨ６からＣＨ１０までの番組情報を含むコンテンツリスト表示が自動的に選択されて表示がなされる。この際、現在視聴中のコンテンツ（ここでは、ＣＨ８）に、例えば現在視聴中マーク７３−８ａのように、視覚的に認識可能な表示がなされる。これにより、現在画面に表示され、視聴中のコンテンツを一目で認識することができ、操作と認識が容易になる。また、ネットワーク順やチャンネル順でザッピングする際の効率を高めることができる。
【００７５】
選局中のチャンネルを一覧表示のなかでマークを付したり強調表示したりして認識しやすいようにすることで、既に選局中のチャンネルを再度選局してしまうことを防止することができ、ザッピングの効率を高めることも可能である。このように、コンテンツリストに複数のページがある場合でも、現在視聴中のコンテンツを含むページが自動的に表示されるようになっている。従って、コンテンツ視聴装置において、視聴するコンテンツを選択する際に、ユーザは現在視聴中のコンテンツが何か理解しながら選ぶことができ、快適に操作できるという利点がある。尚、現在視聴中マーク７３−８ａは一例であり、その番組（コンテンツ）が現在視聴中であることを強調表示するなど、視覚的に認識可能な形態で表示するものであれば、その形態を限定するものではない。
【００７６】
尚、このマーク７３−８ａは、カーソルが当たっている番組とは独立に付されているマークであって、このマーク７３−８ａが付されている番組が、映像領域２２ａに表示されている番組２２ａ−１であることが明示される。カーソルが当たっている別番組にカーソルを当ててリモコンの決定ボタンを押すと、その番組が現在視聴中になり、マーク７３−ｎａもその番組に付されることになる。
【００７７】
また、この表示画面にページボタン３４１、例えば次ページマークを設けることで、次ページのリスト表示を簡単に行うことができる。さらに次ページには、次ページがあれば次ページボタンが付されるとともに、前ページに戻る前ページボタンが表示される。或いは、ページ番号ボタンを設けておき、所望のページに遷移させることもできる。このように、従来のような、現在視聴中番組がリストの一番上に表示される構成と異なり、リストの構成を保持したまま、現在視聴中番組を知らせることができる。
【００７８】
次ページボタン３４１を押して次ページを表示させると、他の放送局の番組を知ることができる。しかしながら、現在視聴中の番組に変更がない限り、ページを遷移させても、現在視聴中マークは変更されないようになっている。
【００７９】
図２０は、メニュー表示の処理の流れを示すフローチャート図である。ステップＳ４１でコンテンツ視聴装置、例えばテレビジョン受信装置の電源がＯＮされると、ステップＳ４２において、ＢＳ放送などのコンテンツが表示され、コンテンツの視聴が可能となる。ステップＳ４３において、メニューボタン（図１１のボタン２６６）が押されたことが検出されると、ステップＳ４４において、視聴中のネットワーク種別（コンテンツカテゴリ種別）を検出し、ステップＳ４５において視聴中のチャネル番号などのコンテンツ番号を検出する。次いで、ステップＳ４６において、ステップＳ４５で検出したチャネル番号を含むコンテンツリストのページ番号を自動的に算出し、ステップＳ４７において、メニュー表示を行う。この際、チャネル（コンテンツリスト）表示領域７３には、ステップＳ４６で求められたページ番号のページが自動的に表示される。ステップＳ４８において、現在視聴中の番組に現在視聴中マークなどを付すことで視覚的に認識可能にする。
【００８０】
以上に説明したように、本実施の形態によるコンテンツ視聴装置によれば、テレビジョンなどの端末装置で利用できるコンテンツを、インターネットコンテンツも含めて表示し、統一的な操作により選択できるようにすることができる。また、その時点で視聴できるコンテンツを把握し選択することが容易になるという利点がある。また、番組等のコンテンツを視聴しながら番組表（コンテンツリスト）を使用する場合、ユーザは、現在視聴している番組（コンテンツ）がどれであるかを番組表（コンテンツリスト）を見ながら知ることができ、操作の際に役立てることができる。ページ構成を固定することでチャンネルリスト（一覧）の中でチャンネルの表示位置が固定されるので、ユーザが見た場合に混乱することを防止できる。また、ネットワーク順やチャンネル順でザッピングする際の効率を高めることができる。さらに、既に選局中のチャンネルを再度選局してしまうことを防止し、ザッピングの効率を高めることができる。
【００８１】
尚、上記の例では、カテゴリ（コンテンツソース）別のコンテンツリストを表示させる例を示したが、カテゴリが１つの場合も含まれる。また、コンテンツソース別以外に、例えば、カテゴリには、時間帯別、曜日別など、その他のコンテンツの分け方も含まれるのは言うまでもない。
【００８２】
次に、本発明の第２の実施の形態によるコンテンツ視聴装置について図面を参照しながら説明を行う。
【００８３】
図１５は、本発明の第２の実施の形態によるコンテンツ視聴装置におけるリスト表示のメニューを示す図であり、第１の実施の形態によるコンテンツ視聴装置において上記に説明した処理を行う上で、コンテンツソースに依存せずに横断的にカテゴリを切り替えてリスト表示することができるように、コンテンツカテゴリ表示領域７１に、各コンテンツ選択ボタン７１ａから７１ｆに加えて、おすすめコンテンツの推奨リストを表示させるボタン７１ｘが設けられている。おすすめ（推奨）ボタン７１ｘを設けておき、これが押されると、符号８３に示すリスト表示のように、行７３−１では放送コンテンツ（番号８１ａ、アイコン８３ａ、文字８５ａ及びコンテンツカテゴリアイコン８６ａ）、行７３−２ではネットコンテンツ（番号８１ｂ、アイコン８３ｂ、文字８５ｂ及びコンテンツカテゴリアイコン８６ｂ）、行７３−３では他の放送コンテンツ（番号８１ｃ、文字８５ｃ、コンテンツカテゴリアイコン８６ｃ）というように、異なるソースカテゴリからの推奨コンテンツを一覧表示させることもできる。コンテンツカテゴリアイコンにより、異なるコンテンツソースからのコンテンツを含むリストにおいてコンテンツソースを明確にすることができる。
【００８４】
図１６は、本実施の形態によるコンテンツ視聴装置における機能ブロック図であり、図１０に対応する図である。図１０の構成に加えて、コンテンツ選別手段２５９が設けられている点が異なる。尚、この場合の、推奨コンテンツの選択アルゴリズムは、ユーザ嗜好、などに基づく周知の方法を用いることができ、アルゴリズムは限定されるものではないが、コンテンツの選別項目としては、例えば、１）キーワードによるフィルタリング、２）コンテンツの題名などから判定する内容カテゴリによるフィルタリング、３）放送時間帯によるフィルタリング、４）ユーザ設定によるフィルタリング、例えば、ネットコンテンツと地上デジタルのみを選択などのフィルタリングなどが挙げられる。
【００８５】
このように、本実施の形態によるコンテンツ視聴装置によれば、コンテンツソースカテゴリに依存せずに横断的なリスト表示をすることが可能である。
【００８６】
以上に説明したように、本発明の各実施の形態によれば、コンテンツ視聴装置において利用できる、インターネットコンテンツも含む多数のコンテンツソースからのコンテンツを一覧表示し、統一的な操作により所望の視聴対象コンテンツを選択できる。従って、その時点で視聴できるコンテンツを把握し選択する操作を容易に行えるという利点がある。
【００８７】
本発明によるコンテンツ視聴装置及びコンテンツ表示装置は、携帯無線機などの携帯端末装置に適用することもできるし、ＰＣなどに付属するテレビ機能に適用することも可能である。
【００８８】
本発明による装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【００８９】
また、図１等の各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００９０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９１】
以上、この発明の実施形態を図面を参照して詳述してきたが、具体的な構成はこの実施の形態に限られるものではなく、この発明の要旨を逸脱しない範囲の設計変更等された発明も含まれる。
【産業上の利用可能性】
【００９２】
本発明は、コンテンツ視聴装置に利用可能である。
【符号の説明】
【００９３】
６…全体制御部（ＣＰＵ）、６ａ…表示制御部、６ｂ…音声制御部、７…メモリ、７ａ…制御用プログラム記憶部（スクリプト蓄積手段）、７ｂ…ネットコンテンツ情報蓄積部、１０…コンテンツ視聴装置、１１…アナログ放送用アンテナ、１２…アナログチューナ部、１３…デジタル放送用アンテナ、１４…デジタルアナログチューナ部、１５…コンテンツデータ受信部、１６…コンテンツデータ管理部、１９…映像処理部、２０…同期部、２１…映像出力部（ディスプレイ：コンテンツ出力手段）、２５…音声処理部、２６…コンテンツメタデータ管理部、２８…音声出力部（スピーカ：コンテンツ出力手段）、３０…外部機器、３１…外部入力部、３２…記録／再生部、３４…通信制御部、３４ａ…ネットワーク通信部、３５…リモコン受光部、３６…入力手段、４１…インターネット、４３…外部サーバ、７１…ソースカテゴリ表示領域、７３…コンテンツリスト一覧表示領域、７３ａ…現在視聴中マーク、２５１…コンテンツ情報取得部、２５１ａ…放送コンテンツ情報取得部（放送コンテンツ情報取得手段）、２５１ｂ…入力切り替えコンテンツ情報取得部（入力切替コンテンツ情報取得手段）、２５１ｃ…ＢＤコンテンツ情報取得部（蓄積メディアコンテンツ情報取得手段）、２５１ｄ…ネットコンテンツ情報取得部（ネットコンテンツ情報取得手段）、２５６…ネットコンテンツ情報取得制御部、３０１…カレントマーク、３０３…チャネルアイコン、３０５…番組情報、３４１…次ページボタン。
【図１】
2011035862.tif 000003
【図２】
2011035862.tif 000004
【図３】
2011035862.tif 000005
【図４】
2011035862.tif 000006
【図５】
2011035862.tif 000007
【図６】
2011035862.tif 000008
【図７】
2011035862.tif 000009
【図８】
2011035862.tif 000010
【図９】
2011035862.tif 000011
【図１０】
2011035862.tif 000012
【図１１】
2011035862.tif 000013
【図１２】
2011035862.tif 000014
【図１３】
2011035862.tif 000015
【図１４】
2011035862.tif 000016
【図１５】
2011035862.tif 000017
【図１６】
2011035862.tif 000018
【図１７】
2011035862.tif 000019
【図１８】
2011035862.tif 000020
【図１９】
2011035862.tif 000021
【図２０】
2011035862.tif 000022